(57)【要約】      （修正有）【課題】ケース内部の解除片の下方左右に配置された鎖錠片を略均等に押圧することができる端子台の解除機構を提供する。【解決手段】弾性力により電線を鎖錠（固定）する鎖錠片を有する速結端子を内部に収容する端子台のボディ（ケース）に設けられた解除機構２３であって、鎖錠片を押圧することにより電線の鎖錠（固定）を解除する解除機構２３において、端子台の内部の鎖錠片を押圧する解除片２６と、解除片２６に向かって延びるように端子台のボディ（ケース）の電線挿入面２１に片持ち梁状に形成されるとともに、解除片２６を先端に連結することにより解除片２６を端子台の内部方向に揺動自在に取り付けた複数の（２つの）解除アーム２５とを備える。【選択図】図２
2010165568.tif 000002
【特許請求の範囲】
【請求項１】
弾性力により物体を固定する固定片を内部に収容するケースに設けられた固定解除機構であって、前記固定片を押圧することにより固定を解除する固定解除機構において、
前記固定片を押圧する解除片と、
前記解除片に向かって延びるように前記ケースの所定の面に片持ち梁状に形成され、前記解除片を前記ケースの内部方向に揺動自在に取り付けた複数のアーム部と
を備えることを特徴とする固定解除機構。
【請求項２】
前記複数のアーム部は、
前記解除片の両端部の向かって略平行に形成された２つのアーム部を有することを特徴とする請求項１に記載の固定解除機構。
【請求項３】
前記複数のアーム部の各アーム部は、
前記解除片に向かって前記ケースの内部方向に傾斜していることを特徴とする請求項１または２に記載の固定解除機構。
【請求項４】
前記固定解除機構は、さらに、
前記所定の面の縁部であって前記複数のアーム部に隣接する縁部から、前記ケースの内部方向に立設された感電防止部を備えることを特徴とする請求項１〜３のいずれかに記載の固定解除機構。
【請求項５】
弾性力により物体を固定する固定片を内部に収容するケースに設けられた固定解除機構であって、前記固定片を押圧することにより固定を解除する固定解除機構において、
前記固定片を押圧する解除片と、
前記解除片の幅と略同一の幅を有し、前記解除片に向かって延びるように前記ケースの所定の面に片持ち梁状に形成され、前記解除片を前記ケースの内部方向に揺動自在に取り付けたアーム部と
を備えることを特徴とする固定解除機構。
【請求項６】
前記解除片は、凹部を有することを特徴とする請求項１〜５のいずれかに記載の固定解除機構。
【請求項７】
前記固定解除機構は、さらに、前記ケースの面であって前記解除片の先端部に対向する面に前記ケースの外部方向に向かって前記解除片から離れるように傾斜する傾斜部を有することを特徴とする１〜６のいずれかに記載の固定解除機構。
【請求項８】
弾性力により電線を固定する固定片を有する速結端子を内部に収容するケースと、
前記ケースに設けられた請求項１〜７のいずれかに記載の固定解除機構とを備えたことを特徴とする端子台。
【請求項９】
点灯装置と、
請求項８に記載の端子台とを備えた照明器具。
【発明の詳細な説明】
【技術分野】
【０００１】
本発明は、例えば、速結端子に接続された電線を解除する固定解除機構、前記固定解除機構を備えた端子台、及び前記端子台を備えた照明器具に関する。
【背景技術】
【０００２】
まず、従来技術として、端子台のケース（ボディ、カバー）の内部に解除ボタンを収納し、解除ボタンをドライバー等の解除具で押し込むことにより鎖錠ばね（鎖錠片）を押圧操作し、電線を解除する解除機構がある（特許文献１参照）。また、従来２個使用していた解除ボタンをシーソ−運動自在に取り付けた構造にして、２つの解除ボタンを１つに削減した解除機構がある（特許文献２参照）。これらの従来技術では、解除操作を行うために解除ボタンを必要とする。
【０００３】
また、他の従来技術として、速結端子（受け部、鎖錠片）を収納したケース（ボディ）に切り筋（切り溝）を設け解除アームを形成し、解除アームの先端に横片を連結し、解除具により横片をボディの内部に押し込む解除機構がある（特許文献３参照）。横片が押し込まれると、ケースの内部において横片の下方左右に配置された鎖錠片を押し込まれた横片が押圧して、電線解除をする。この従来技術では、解除アームの幅より大きい幅の横片を解除アームの先端に連結しているので、解除具を傾けた状態で横片を押し込むと、横片に偏った曲げモーメントがかかってしまい、左右の鎖錠片に対して偏った押圧力で鎖錠片を押圧してしまう。また、ケース表面と横片が略平行になっている（平行に切り筋をいれている）ので、解除具が解除機構と絶縁ケースとの間に挟まってしまう。
【０００４】
また、他の従来技術として、速結端子（当接片（受け部）、鎖錠片）を収納したケース（ボディ）に切り溝を設けることにより、解除機構がケース表面から見てＴ字状に形成された解除機構がある（特許文献４参照）。この従来技術の解除機構は、Ｔ字状の解除機構の縦棒部分の基部がケースに結合され、ケースに揺動自在に支持された解除アームを形成し、解除アームの先端部に、鎖錠片を受け部から遠ざかる向きに押圧する解除片を設ける。解除片（横片）と解除アームはＴ字状となるように連結されているので、解除片（横片）の幅は解除アームの幅より大きく、１点で連結されている。したがって、解除具を傾けた状態で横片を押し込むと、横片に偏った曲げモーメントがかかってしまい、左右の鎖錠片に対して偏った押圧力で鎖錠片を押圧してしまう。また、解除アームの先端部を押圧した状態で、解除アームの基部側から先端部側に行くに従ってケース表面側への突出量が大きくなるように傾斜する傾斜面を解除アームに形成している。
【０００５】
また、他の従来技術として、端子台のボディに一体に形成された解除レバーの端子押し部により、鎖錠片の長手方向中間部を押す技術がある（特許文献５参照）。この従来技術では、解除レバーが押し込まれるに伴い、端子押し部の係合突起がカバーのガイド部に係合するので、このガイド部のストッパー作用により端子押し部の変形を防止しつつ解除動作を行わせることができる。この従来技術の場合も、解除アームの幅より大きい幅の端子押し部（横片）を解除アームの先端に連結しているので、解除具を傾けた状態で端子押し部を押し込むと、端子押し部に偏った曲げモーメントがかかってしまい、左右の鎖錠片に対して偏った押圧力をかけてしまう。
【先行技術文献】
【特許文献】
【０００６】
【特許文献１】実公昭６２−００５００４号公報
【特許文献２】特開昭６１−２９２８６５号公報
【特許文献３】特許第３０３０８５８号
【特許文献４】特許第３７６００７１号
【特許文献５】特許第４０６２８５２号
【発明の概要】
【発明が解決しようとする課題】
【０００７】
特許文献１、特許文献２の従来技術では、解除ボタンを必要とし、部品点数が増え、部品の製造コストや組み立て製造コストが高くつくという課題がある。
【０００８】
特許文献３の従来技術では、ケース表面と横片が略平行になっている（平行に切り筋をいれている）ため、解除具で横片をケース内部側に押し込む動作中に、切り溝の隙間が広くなり、解除具が隙間に入り込んでしまい解除できなくなってしまうという課題がある。
【０００９】
また、特許文献３、特許文献４、あるいは特許文献５の技術では、解除片（横片）の幅より解除アームの幅は小さく、解除片（横片）と解除アームとは、解除片の解除アームに対向する面の一部である１点で連結されている。したがって、解除具を傾けた状態で解除片を押し込むと、解除片に偏った曲げモーメントがかかってしまい、鎖錠片に対して偏った押圧力をかけてしまう。そのため、解除片の下方左右に配置された鎖錠片を均等に押圧することができない。例えば、解除片幅方向の下方左右に配置されている鎖錠片のうち、傾いた方に配置された鎖錠片は解除片に押し込まれ撓むのに対し、傾いていない方に配置された鎖錠片は、解除片から正規押し込み量に達するだけの押圧を得られず撓み不足となり、電線が解除できない恐れがある。作業者が正規押し込み量に達しない方に差し込んだ電線を無理に引き抜こうとしてしまい、鎖錠片を変形させてしまう恐れがある。あるいは、傾いた方に配置された鎖錠片は解除片により必要以上に押し込まれ、鎖錠片を変形させてしまう恐れがある。
【００１０】
本発明は、上記のような課題を解決するためになされたものであり、部品点数を増やすことなく、部品製造コストや組み立て加工コストを低く抑えることができ、かつ、解除具を使用して電線を解除するときに、傾いた状態で解除具を押しても、解除片の下方左右に配置された鎖錠片に略均等に押圧力をかけることができるようにして、電線解除操作の信頼性及び操作性を向上させた端子台及び端子台を搭載した照明器具を提供することを目的とする。
【課題を解決するための手段】
【００１１】
本発明に係る固定解除機構は、弾性力により物体を固定する固定片を内部に収容するケースに設けられた固定解除機構であって、前記固定片を押圧することにより固定を解除する固定解除機構において、
前記固定片を押圧する解除片と、
前記解除片に向かって延びるように前記ケースの所定の面に片持ち梁状に形成され、前記解除片を前記ケースの内部方向に揺動自在に取り付けた複数のアーム部とを備えることを特徴とする。
【発明の効果】
【００１２】
本発明に係る固定解除機構は、弾性力により物体を固定する固定片を内部に収容するケースに設けられた固定解除機構であって、前記固定片を押圧することにより固定を解除する固定解除機構において、前記固定片を押圧する解除片と、前記解除片に向かって延びるように前記ケースの所定の面に片持ち梁状に形成され、前記解除片を前記ケースの内部方向に揺動自在に取り付けた複数のアーム部とを備えているので、部品点数を増やすことなく製造コストを抑えることができるとともに、傾いた状態で解除片を押圧しても解除片に曲げモーメントがかかりにくくすることができるので固定片に略均等に押圧力をかけることができ、解除操作の操作性及び信頼性を向上させた端子台を提供することができる。
【図面の簡単な説明】
【００１３】
【図１】実施の形態１に係る端子台１の正面図である。
【図２】実施の形態１に係る端子台１の解除機構２３の正面拡大図である。
【図３】実施の形態１に係る端子台１の図１におけるＡ−Ａ断面図であり、（ａ）は、端子穴に電線３が挿入されている状態、（ｂ）は、端子穴に電線３が挿入されていない状態を示す。
【図４】実施の形態１に係る端子台１に内蔵される端子装置（速結端子）の一例を示す図である。
【図５】実施の形態１に係る端子台１の図１におけるＢ−Ｂ断面図である。
【図６】実施の形態１に係る端子台１において解除具により解除片を押圧する際の従来との比較図であり、（ａ）は、Ｂ−Ｂ断面図の解除具を斜めに解除片へ押し込む時の断面図、（ｂ）は、従来のＢ−Ｂ断面図の解除具を斜めに解除片へ押し込む時の断面図である。
【図７】実施の形態１に係る端子台１の図１におけるＣ−Ｃ断面図である。
【図８】実施の形態１に係る端子台１のＣ−Ｃ断面図であって、解除片２６を端子台１の内部方向に押圧したときの状態を示す図である。
【図９】実施の形態１に係る端子台１の図１におけるＤ−Ｄ断面図である。
【図１０】実施の形態２に係る端子台１の正面図である。
【図１１】実施の形態２に係る端子台１の解除機構２３１の正面拡大図である。
【図１２】実施の形態３に係るランプを点灯させる照明器具９であり、実施の形態１または２に記載の端子台１を搭載する照明器具９を示す図である。
【発明を実施するための形態】
【００１４】
実施の形態１．
図１は、実施の形態１における端子台１の正面図である。端子台１は、ボディ２と、ボディ２に蓋をするように取り付けられたカバー（図示なし）とを備えた略箱状である。また、端子台１は、シャーシ等の取付面（図示なし）に取り付けられる際の係止爪となる係止爪１１０を備える。図１はボディ２の正面が示されており、カバーはボディ２の正面に対向する反対側の面に取り付けられているので、図１では図示されていない。ボディ２とカバーとは、絶縁性のある材質、例えばポリプロピレン樹脂やナイロン樹脂により構成される。
【００１５】
端子台１を取付面に取り付ける構造には、例えば、以下のような構造がある。
【００１６】
端子台１を取り付ける取付面には、係止爪１１０が挿入される取付穴が設けられている。取付穴は、穴の形が大きい大穴部分と穴の形が小さい小穴部分とを有する。係止爪１１０は、取付穴の大穴部分に挿入され、小穴部分にスライドされることにより、取付穴から抜けないように係止される構造がある。あるいは、係止爪１１０が弾性力を有し、取付穴に挿入された後に弾性力により、係止爪１１０の爪部分が取付穴の縁部分に引っ掛かり係止されるような構成がある。
【００１７】
端子台１において電線を挿入する面を電線挿入面２１と呼ぶものとする。図１では、電線挿入面２１が端子台１の正面として示されている。ボディ２の電線挿入面２１には、電線の導体を挿入できる電線挿入穴（端子穴）が複数設けられている。
【００１８】
電線挿入面２１は、正極用の電線接続用の端子穴２２Ａ（入力），端子穴２２Ｂ（送り）と、負極用の電線接続用の端子穴２２Ｃ（入力），端子穴２２Ｄ（送り）と、アース線接続用のアース線端子穴２２Ｅ（入力），端子穴２２Ｆ（送り）とを有する。
【００１９】
端子台１は、正極用の電線接続用の端子穴２２Ａと負極用の電線接続用の端子穴２２Ｃとの間、及び、正極用の電線接続用の端子穴２２Ｂと負極用の電線接続用の端子穴２２Ｄとの間に、入力用と送り用とにそれぞれ、解除機構２３（固定解除機構）を備える。解除機構２３（固定解除機構）とは、弾性力により電線等の物体を鎖錠（固定）する鎖錠片（固定片）を備える速結端子を内部に収容する端子台１（あるいは端子台１のボディ２とカバーとからなるケース）に設けられ、鎖錠片を押圧することにより電線の鎖錠を解除する解除機構である。速結端子及び鎖錠片等の詳細については後述する。
【００２０】
解除機構２３は、端子台１の内部に収容されている鎖錠片を押圧する解除片２６と、解除片２６に向かって延びるように電線挿入面２１（ケースの所定の面）に片持ち梁状に形成され、解除片２６を端子台１（ケース）の内部方向に揺動自在に取り付けた２つの（複数の）解除アーム２５（アーム部）とを備える。２つの解除アーム２５は、解除片２６の両端部に向かって略平行に形成されている。
【００２１】
アース線接続用の端子穴２２Ｅ（入力），端子穴２２Ｆ（送り）の横方向（電線挿入面２１の端部方向）には、解除具を押し込むことによりアース線の固定を解除することができる解除穴２８を備えている。この解除穴２８のかわりに、端子穴２２Ｅ（入力）と端子穴２２Ｆ（送り）との間に、解除機構２３と同様の構成の解除機構を備えることにしてもよい。
【００２２】
図２は、実施の形態１に係る解除機構２３の正面拡大図である。図２を用いて、解除機構２３の細部の構成について説明する。図２に示す解除機構２３は、図１に示された２つの解除機構２３のうち、入力用の正極用及び負極用の電線接続用の端子穴２２Ａ，２２Ｃ間に設けられた解除機構２３である。ただし、送り用の正極用及び負極用の電線接続用の端子穴２２Ｂ，２２Ｄ間の解除機構２３についても同一構成である。
【００２３】
図２に示すように、解除機構２３は、端子穴２２Ａと端子穴２２Ｃとの間に設けられ、一対の解除アーム２５と解除片２６とを備える。解除機構２３は、電線挿入面２１に切り溝２４（切り筋、スリットともいう）を設けることにより形成された片持ち梁状の解除アーム２５を２つ備える。解除アーム２５は、根元となる基部２７がボディ２の電線挿入面２１に連結（連結形成）され、両側部は切り溝で囲まれている片持ち梁状である。
【００２４】
解除アーム２５の先端（基部２７とは反対側の端部）には、解除片２６が連結される。解除片２６は、略長方形（略矩形）であり、両側の端部（図２における両側の解除片端部２６１）に解除アーム２５が１つずつ連結されている。また、２つの解除アーム２５は、お互いが略平行に位置している。すなわち、解除機構２３は、全体として略Ｕ字状（あるいは略凹字状）をなす。解除片２６は、上述したように略長方形（略矩形）であり、両端部である両側の解除片端部２６１と、解除アーム２５の外側の側部とが略同一線上になるように連結される。また、図２に示すように、一対の解除アーム２５は、基部２７から解除片２６に向かって、略平行に延設されている。
【００２５】
解除片２６は、解除アーム２５との連結部位である解除片連結部２１０以外の部分が切り溝２４により囲まれている。また、解除アーム２５は、解除片２６との連結部位である解除片連結部２１０及び電線挿入面２１との連結部である基部２７以外の部分が切り溝２４により囲まれている。すなわち、解除機構２３は、基部２７を残して略Ｕ字状（あるいは略凹字状）に切り抜かれた状態であり、２箇所の基部２７を支点として端子台１の内部方向に揺動自在である。言い換えると、解除機構２３は、略Ｕ字状（あるいは略凹字状）の形状を呈するとともに、２箇所の基部２７を根元とする片持ち梁状であり、端子台１の内部方向に揺動自在である。ここで、解除片２６についての端子台１の内部側の形状については後述する。
【００２６】
解除機構２３は、解除片２６が解除具等の工具（例えば、ドライバー等）により、端子台１の内部方向に押圧される。解除片２６は、解除具を当接させる解除具当接面２１１を備え、解除具当接面２１１には、解除具を当接させたときに解除具がずれたり滑ったりしないようにする凹部２１２（あるいは段差）が設けられている。この凹部２１２により、解除具が解除片２６の解除具当接面２１１からずれたり滑ったりして、解除片２６と端子台１の壁部との間に解除具が挟まってしまうような不具合が発生する恐れが小さくなる。
【００２７】
図３は、実施の形態１に係る端子台１の図１におけるＡ−Ａ断面図である。図３（ａ）は、端子台１の端子穴２２Ｃと端子穴２２Ｄに電線３が挿入されている状態を示す。図３（ｂ）は、端子穴２２Ｃと端子穴２２Ｄに電線３が挿入されていない状態を示す。図３を用いて、端子台１の電線３の接続・解除機構について説明する。図３（ａ）及び図３（ｂ）では、負極側の電線接続用の端子穴（２２Ｃ，２２Ｄ）について図示しているが、正極側の電線接続用の端子穴（２２Ａ，２２Ｂ）についても同様な構成である。
【００２８】
端子台１に内蔵されている速結端子は、図３（ｂ）に示す電線３が挿入されてない状態において電線３が挿入されると、図３（ａ）に示す状態となる。すなわち、電線３が端子穴２２Ｃ，２２Ｄに挿入されると、電線３は端子台１の内部に組み込まれた導電性のある受け部４（例えばリン青銅製）とバネ性（弾力性）のある鎖錠片５（例えばステンレス製やバネ用銅合金製）との間に挿入され、機械的に挟持される。これにより、電線３は、受け部４に電気的に接続される。さらに、受け部４とバネ製（弾力性）のある押圧片６（例えばステンレス製やバネ用銅合金製）との間で電線３を押圧し、受け部４に電気的な接続がなされ、より確実に電気的な信頼性を高めている。以上のように、端子台１（あるいは内蔵されている速結端子）は電線３と機械的かつ電気的に接続されている。
【００２９】
図４は、端子台１に内蔵される端子装置（速結端子）の一例を示す図である。図４（ａ）は、端子装置（速結端子）の平面図、図４（ｂ）は、端子装置（速結端子）の正面図、図４（ｃ）は、端子装置（速結端子）の側面図、図４（ｄ）は、端子装置（速結端子）の側面図である。
【００３０】
端子装置（速結端子）は、一枚の板材を抜き、曲げ加工して、一体成形されているものである。しかし、必ずしも一体成形でなくともよい。端子装置（速結端子）は、上述したように、受け部４、鎖錠片５、押圧片６、を備える。また、端子装置（速結端子）は、器具内部接続電線用の端子１７を備える。端子１７は、主に照明器具の点灯装置に接続するための電線を接続する接続端子であり、電線３の入力電流を照明器具側へ供給するために装備されている。
【００３１】
通常、端子台では、電線を接続した後に誤配線に気付いた場合等を想定し、電線を解除（取り外し）し、正規電線を再接続できるようにした解除機構が設けられている。この解除機構は、電線を解除するために、図３（ａ）に示す状態の鎖錠片５を電線３との接続状態より更に弾性変形させて撓ませ、電線３との挟持状態をフリーにして電線３を取り外す（解除する）ことが一般的である。この動作のあと、図３（ｂ）のように弾性のある鎖錠片５及び押圧片６は電線挿入前の状態に戻り、正規電源線との再接続を可能としている。このようにして、電線３を解除するためには、電線３の挿入状態から、鎖錠片５を更に撓ませるために、解除片２６を押圧することにより、解除片２６で鎖錠片５を押圧できるようにする必要がある。
【００３２】
図５は、実施の形態１に係る端子台１の図１におけるＢ−Ｂ断面図である。また、図５では、端子台１の解除片２６に対して、解除具（マイナスドライバー等の工具）を真っ直ぐ（解除片２６の面に対して略垂直）に解除片２６に当てようとする図である。解除片２６は、解除具７により端子台１の内部方向に解除片２６の面に対して略垂直に押圧される。
【００３３】
図６（ａ）は、図５の端子台１のＢ−Ｂ断面図において解除具を斜めに解除片へ押し込んだ状態を示す図である。図６（ｂ）は、比較例の端子台のＢ−Ｂ断面図であり、解除具を斜めに解除片へ押し込んだ状態の比較例の端子台のＢ−Ｂ断面図である。図５及び図６を用いて、実施の形態１に係る端子台１の解除機構２３の効果的な作用について説明する。また、図５、図６（ａ）、図６（ｂ）では、送り用の正極用と負極用の電源線接続用の端子穴（２２Ｂ、２２Ｄ）間に設けられた解除機構２３を示しているが、入力用の正極用と負極用の電源線接続用の端子穴（２２Ａ、２２Ｃ）間の解除機構２３についても同様な作用（構成）であるものとする。
【００３４】
図５に示すように、解除片２６は、端子台１の内部側に突出部２９を備える。突出部２９は、鎖錠片５を押圧できるように、解除片２６の端子台１内部方向に突出した部分である。突出部２９は、端子穴２２Ｂ，２２Ｄに電線３が挿入されていない状態では、その先端２９１がほぼ鎖錠片５に当接している。突出部２９は、端子穴２２Ｂ，２２Ｄに電線３が差し込まれると、鎖錠片５はＰ方向に弾性変形して撓み、鎖錠片５と突出部２９の先端２９１との間には少量の隙間が発生することになる（図省略）。また、１対の解除アーム２５と解除片２６とが連結している部位である解除片連結部２１０（図２参照）は、解除片２６の解除片幅方向両端に１対設けられる。
【００３５】
次に、解除具７を解除片２６の解除具当接面２１１に押し当て押圧することにより、解除片２６（解除片２６の突出部２９）で鎖錠片５を押圧する場合（すなわち電線３を解除する場合）について説明する。通常、解除具７は、図５のＰ方向に端子台の電線挿入面から内部に向かって真っ直ぐに解除具当接面２１１に当接される。そして、解除具７は、端子台の内部方向（Ｐ方向）に真っ直ぐに押し込まれる。解除具７を押し込んでいくと、解除片２６の突出部２９は、鎖錠片５に当接して押圧し、Ｐ方向に鎖錠片５を弾性変形させる。このようにして、鎖錠片５と電線３とがフリーになり、電線３が引き抜き可能となり、電線３の解除が可能となる。
【００３６】
ところで、解除具７は、図５に示すように、必ずしも真っ直ぐに（電線挿入面に対して略垂直方向（Ｐ方向））に押し込まれると限らない。解除具７は、図６（ａ）、（ｂ）に示されるように、多少なりとも傾いた方向（例えばＰ‘方向）に押し込まれることが考えられる。この場合、解除片２６の解除具当接面２１１は、解除片幅方向の両端部のうち解除具７が傾いた方の端部に集中的に押力が加わって押し込まれていく。以下に、解除機構２３において、解除片連結部２１０の連結位置、連結箇所、連結箇所の個数等により、解除片２６の傾き方に相違があることについて説明する。
【００３７】
図６（ｂ）に示すように、比較例の解除機構は、解除片と解除アームとの連結部分である解除片連結部２１０Ｃが解除片の略中心部に１箇所設けられている。すなわち、比較例の解除機構を電線挿入面２１の外側から見た場合、比較例の解除機構の形状は略Ｔ字状であることがわかる。すなわち、比較例（図６（ｂ））の解除アームは１つであり、その幅は解除片の幅よりも小さい。比較例の解除機構は、解除片の幅より解除アームの幅は小さく、解除片と解除アームが連結される解除片連結部２１０Ｃは解除片の略中心部の１点（１箇所）に設けられている。このように、比較例の解除機構では、解除片連結部２１０Ｃは、解除片幅方向の略中心に一点支持で連結されているため、解除片幅方向の略中心から端部までの距離の分だけ曲げモーメントＭｃが大きく働き、解除片は傾きやすくなる（回転しやすくなる）。
【００３８】
以上のように、比較例の解除機構では、解除片の突出部２９Ｃと突出部２９Ｄの鎖錠片５に対する押圧力に差がでてしまう。鎖錠片５に対する押圧力に差がでてしまうと、図６（ｂ）に示すように、（突出部２９Ｃ側の押圧力）＞（突出部２９Ｄ側の押圧力）という関係となる。このため、解除片を押圧したにもかかわらず、突出部２９Ｄで押圧された鎖錠片５は十分に力が加えられず、不十分な解除となってしまい受け部４との間で挟持されている電線は解除不能となってしまう可能性がある。解除片幅方向の左右に配置されている鎖錠片のうち、傾いた方に配置された鎖錠片が解除片に押し込まれ撓むのに対し、他端側に配置された鎖錠片は、解除片から正規押し込み量に達せず撓み不足となり、電線が解除できない恐れがある。
【００３９】
図６（ａ）に示された本実施の形態の解除機構２３は、２つの解除アーム２５を備えており、解除アーム２５は解除片２６の両端部に各々連結されている（図１、図２参照）。すなわち、解除片連結部２１０は、解除片２６の両端部の２箇所に設けられている（解除片連結部２１０Ｂ、解除片連結部２１０Ａ）。解除片連結部２１０Ａ，２１０Ｂは、解除片２６の解除片幅方向の両端部に各々設けられているので、曲げモーメントＭｂが働きにくくなる。たとえ、解除具７を傾けて解除具当接面２１１に押し当てても、解除片連結部２１０Ａ、２１０Ｂが解除片２６の解除片幅方向の両端部にあり各々両端部で支持部となるため、解除片２６は傾きにくくなる。
【００４０】
解除片連結部２１０にかかる押圧力は、解除具７が図６（ａ）に示すように傾くことにより、（解除具７による解除片連結部２１０Ａ側の押圧力）＞（解除具７による解除片連結部２１０Ｂ側の押圧力）の関係となる。しかし、上述したように、本実施の形態の解除機構では解除片２６が傾きにくい構造であるため、解除片２６の突出部２９による押圧力は、（突出部２９Ａ側の押圧力）＝（突出部２９Ｂ側の押圧力）の関係に近似する。したがって、突出部２９Ａと突出部２９Ｂに押圧される鎖錠片５は、各々略均等な押圧力で押圧されることが可能となり、端子穴２２Ｂ，２２Ｄに挿入された２つの電線３を確実に解除することができる。
【００４１】
本実施の形態の解除機構２３では、解除アーム２５を解除片２６の両端部の２箇所に連結した構造としているが、これに限られない。例えば、解除機構が３つの解除アームを備えていてもよい。つまり、３つの解除アームが略平行に端子台１のボディ２に片持ち梁状に形成され、その先端が解除片の３箇所（解除片の両端部を含む３箇所）で連結されている構造でもよい。
【００４２】
また、本実施の形態の解除機構２３では、解除アーム２５が解除片２６の両端部に各々連結されている構造としているが、必ずしも解除片２６の両端部に連結しなければならないわけではない。例えば、両端部より所定の距離だけ解除片の内側の位置に連結させても良い。この場合でも、解除アームが複数であるため、支点の幅が大きくなり、曲げモーメントが働きにくくなる。しかし、できるだけ解除片が傾きにくい構造とするためには、解除アームと解除片の連結位置である連結部（支点）は、両端部の各々に近づけた方が好適である。
【００４３】
図７は、実施の形態１に係る端子台１の図１におけるＣ−Ｃ断面図である。また、図８は、図７の端子台１のＣ−Ｃ断面図において、解除具で解除片を端子台の内部方向に押圧している状態を示す図である。図７及び図８を用いて、本実施の形態における解除機構２３の解除アーム２５と解除具当接面２１１の構成及び作用について説明する。
【００４４】
図７では、電線挿入状態での鎖錠片５の位置を実線で示し、電線挿入前状態の鎖錠片５の位置を点線で示している。図７に示すように、電線挿入前状態の鎖錠片５（点線）は、解除片２６の突出部２９の先端２９１に当接する位置にある。電線挿入前状態の鎖錠片５は、必ずしも突出部２９の先端２９１に当接していなくても構わないが、なるべく当接していた方が鎖錠片５を押圧して弾性変形させる距離が短くなり、電線解除操作性が向上する。電線挿入状態の鎖錠片５は、図３（ａ）で示すように受け部４と鎖錠片５とで電線３を狭持しているため、電線挿入前状態よりも端子台１の内部方向に弾性変形している。したがって、解除片２６の突出部２９の先端２９１と鎖錠片５との間には隙間ができることになる。
【００４５】
一方、解除機構２３（解除片２６及び解除アーム２５）は、解除具７等で押圧しない限りは、電線挿入前状態でも電線挿入状態でも同一の位置及び形態にある。図８は、解除具７で解除片２６を押圧し、電線を解除できるようにした状態を示している。電線挿入前状態の鎖錠片５と、電線挿入状態の鎖錠片５とを点線で示し、電線解除可能状態の鎖錠片５を実線で示している。また、解除具７により押圧されていない状態の解除機構２３を点線で示し、解除具７により押圧され電線解除可能状態となっている解除機構２３を実線で示す。電線解除可能状態の鎖錠片５は、解除片２６の突出部２９に押圧され、電線挿入状態の鎖錠片５よりも、さらに端子台１の内部方向に弾性変形している。
【００４６】
図７及び図８に示すように、解除アーム２５は、端子台１のボディ２と連結されている基部２７から片持ち梁状に形成されている。解除アーム２５は、基部２７から解除片連結部２１０までに徐々に端子台１の内部方向に傾斜するアーム傾斜部２５１を備える。解除機構２３がアーム傾斜部２５１を備えることにより、解除アーム２５の長さを長くすることができるので、解除具７で加える解除片２６への押し込み力を低減させることができる。したがって、解除機構２３における電線解除操作性を良くすることができる。
【００４７】
また、解除片２６の電線挿入面２１側にあたる解除具当接面２１１（図６参照）には、凹状に段差を設けた凹部２１２が設けられる。凹部２１２は、解除具７を解除具当接面２１１に当接させた際に、解除具７と嵌合して解除具７が解除片からずれないようにするための構成である。
【００４８】
図８に示すように、作業者は、解除具７を凹部２１２に押し当てて解除片２６を押圧し、突出部２９が鎖錠片５を点線（電線挿入状態の位置）から実線（電線を解除するときの位置）になるようにする。鎖錠片５が電線解除可能状態に位置したところで、受け部４と鎖錠片５とで挟持されていた電線３がフリーとなり、作業者は電線３を引き抜くこと（電線解除）ができる。
【００４９】
図７及び図８に示すように、端子台１の側面の解除片２６に対向する位置（位置Ｓ）には、端子台１の内部から電線挿入面２１側に向かって徐々に解除片２６から離れるように傾斜する傾斜面２１３（傾斜部）が設けられる。また、端子台１の内部に立設された立側面の解除片２６に対向する位置（位置Ｔ）にも、同様に傾斜面２１３（傾斜部）が形成される。すなわち、端子台１において、図７に示す解除片２６の先端部である解除片先端部２６２に対向する位置（位置Ｓ、位置Ｔ）に、端子台１の内部から電線挿入面２１側に向かって（すなわち、端子台１の外部方向に向かって）徐々に解除片２６から離れるように傾斜する傾斜面２１３（傾斜部）が設けられる。
【００５０】
解除具７で解除片２６を押圧する場合、端子台１の内部方向に深くなるにつれて、解除具７が徐々にＦ方向に傾いていくことになる。このとき、本実施の形態の解除機構２３を備えた端子台１は、解除機構２３に対向する内側面が外側に傾斜する傾斜面２１３を備えているので、作業者は解除具７を端子台１の側面あるいは立側面にぶつけることなく解除動作をすることができる。つまり、作業者は、解除具７を解除アーム２５の長手方向において、より斜め（よりＦ方向）に傾けて解除具当接面２１１に押し当てることができるので、解除操作をしやすくなる。また、端子台１のボディ２の内側面を傾斜させているので、ボディ２の成形時の型抜きが容易となり歩留まりをなくすことができるので、コスト的に安価に出来る。したがって、傾斜面２１３を備えることにより、電線解除操作性が向上するとともに、製造コストを小さくすることができる。
【００５１】
また、解除機構２３は片持ち梁状であるため、解除動作をさせると図８に示すように、ボディ２の立側面との間に隙間（ｔ）が発生する。このため、解除具７が解除具当接面２１１からズレると隙間（ｔ）に入り込んでしまう恐れがある。本実施の形態における解除機構２３では、上述したように、凹部２１２を備えているのでこの場合解除具７を解除具当接面２１１に簡単に位置決めすることができ、確実に解除片２６を押し込めることができるので、解除具７が隙間（ｔ）にはまり込んでしまう不具合を防止することができる。
【００５２】
図９は、実施の形態１に係る端子台１のＤ−Ｄ断面図（図１参照）である。図９を用いて、本実施の形態に係る解除機構２３の解除片２６の解除動作停止機能について説明する。解除片２６の突出部２９で鎖錠片５を押圧していく場合、所定の位置で解除動作を停止しないと、鎖錠片５が永久変形してしまう恐れがある。鎖錠片５が永久変形してしまうと、端子台１に電線３を再接続したとき、受け部４と鎖錠片５とで挟持させることができなくなる恐れがある。
【００５３】
以下に、解除片２６の押圧を所定の位置でストップさせる解除片ストッパー２１５について説明する。図２に示すように、２つの解除アーム２５に挟まれた部位を切り残し部３０と呼ぶものとする。図２及び図９に示すように、解除片ストッパー２１５は、切り残し部３０において解除片２６に対向する辺である解除片側の辺２８１から端子台１の内部方向に立設された面である。解除片ストッパー２１５は、解除片２６の突出部２９により押圧された鎖錠片５が電線解除可能状態の位置になったところで、突出部２９の押圧をストップさせる位置に設けられる。すなわち、解除片ストッパー２１５は、鎖錠片５が電線解除可能状態の位置になったところで、突出部２９の先端と当接し、突出部２９がそれ以上端子台１に内部方向へ押されないようにするものである。
【００５４】
言い換えると、解除片ストッパー２１５は、ボディ２の電線挿入面２１の表面側から見て、前記ボディの表面から内部側に向かって立設されている。解除機構２３は、片持ち梁状であることから、解除片２６の突出部２９が受け部４から鎖錠片５の方向へ弾性変形していくことで、突出部２９が所定の鎖錠片５の解除できる位置まで移動した位置で突出部２９の先端が当たるように解除片ストッパー２１５を立設させてある。従って、鎖錠片５の永久変形を防止でき、電線３の再接続の信頼性を向上させることができる。
【００５５】
解除機構２３は、片持ち梁状であるため、端子台１の内部方向に押圧されると切り溝２４部分の開口が大きく開いてしまう。そのため、電線挿入作業時に作業者等が誤って切り溝２４の部分の開口から端子台１の内部に指を入れてしまい感電する恐れがある。以下に、図２及び図９を用いて、本実施の形態に係る解除機構２３の感電防止機能について説明する。
【００５６】
感電防止部２１４は、切り残し部３０の切り溝に囲まれた辺（解除片側の辺２８１及びアーム側の辺２８２）から端子台１の内部方向に立設された面である。すなわち、解除片側の辺２８１から内部方向に立設された面である感電防止部２１４は、解除片ストッパー２１５の一部である場合もある。
【００５７】
図９では、感電防止部２１４の長さは、電線挿入面２１からカバー８の裏面に到達する長さであるが、必ずしもこの長さでなくてもよい。切り溝２４による開口は、解除片２６の突出部２９の先端が解除片ストッパーに当接する位置が最大となる。したがって、感電防止部２１４は、切り溝２４による開口が最大となる位置（すなわち、解除片２６の突出部２９の先端が解除片ストッパーに当接する位置）で、切り溝２４の開口を塞ぐような長さに立設されればよい。また、解除片ストッパー２１５についても同様に、解除片２６の突出部２９の先端が当接する長さがあればよい。
【００５８】
以上のように、本実施の形態に係る端子台１は、感電防止部２１４を備えているので、１対の解除アーム２５の間に発生する空間を無くすことができ、例えば、電線挿入作業時に誤って作業者が端子台１の内部に指を入れたりすることを防ぐことができ、感電防止の効果を得ることができる。
【００５９】
実施の形態１では、以下のような端子台１について説明した。実施の形態１に係る端子台は、絶縁性のボディとカバーからなる略箱状の端子台であって、ボディの一面（以下電線挿入面と称す）には電線の導体を挿入できる電線挿入穴（端子穴）を複数設け、端子台内部に複数の前記電線の導体を接続する導電性のある受け部と、前記受け部と前記電線の導体を鎖錠するバネ性のある鎖錠片をもつ速結端子を装備された端子台で、前記ボディの電線挿入面は、ボディの表面に切り溝を設けることによって、片持ち梁状の一対の解除アームを設け、前記一対の解除アームの一端は前記ボディに結合された基部に連結されるとともに、前記解除アームの基部側とは別の他端には、鎖錠片を押圧できる解除片を設けるとともに、前記解除片はボディ表面側から見て略長方形で、このうち解除アームに対向する一辺は、その両端に一対の解除アームの端部が連結形成され、前記解除片は前記一対の解除アームの連結形成された部位以外は切り溝で覆って形成され、前記一対の解除アームは前記基部から解除片に向かって、各々平行に延設したことを特徴とする。
【００６０】
実施の形態２．
図１０は、実施の形態２に係る端子台１の正面図である。図１１は、実施の形態２に係る端子台１の解除機構２３１の拡大正面図である。実施の形態１で説明したものと同一の構成には、同一の符号を付しその説明を省略する。
【００６１】
図１０に示すように、本実施の形態に係るの端子台１において、実施の形態１の図１で説明した端子台１と異なる点は、解除機構２３１の構成にある。図１１を用いて、本実施の形態における解除機構２３１について説明する。
【００６２】
図１１に示すように、解除機構２３１は、一方の端部が基部２７０においてボディ２の電線挿入面２１に連結された片持ち梁状の解除アーム２５０と、解除アーム２５０の他方の端部に連結された鎖錠片５を押圧する解除片２６とを備える。実施の形態１において説明した解除機構２３との違いは、解除アーム２５０が１つであり、解除片２６の幅Ｌと、解除アームの幅Ｌ‘とは略同一であることである。また、解除片２６と解除アーム２５０とは、解除片２６の解除アーム２５０に対向する面の全面で連結されている。
【００６３】
解除機構２３１は、ボディ２の表面（電線挿入面２１）に切り溝２４を設けることによって片持ち梁状の１つの解除アーム２５０を設け、解除アーム２５０の一方の端部はボディ２に結合された基部２７０に連結されるとともに、他方の端部は鎖錠片５を押圧できる解除片２６に連結される。解除片２６の幅Ｌと解除アーム２５０の幅Ｌ‘とは略等しく（Ｌ≒Ｌ’）、解除片２６と解除アーム２５０との解除片連結部２５２は、解除片２６が解除アーム２５０に対向する一辺の幅に等しい幅で連結形成される。解除片２６は、解除アーム２５０が連結された解除片連結部２５２以外の部位が切り溝２４で覆われている。
【００６４】
解除片連結部２５２の幅が広いので、解除具７を傾けて解除具当接面２１１に押し当てた場合でも、解除片２６に対して曲げモーメントが働きにくくなる。また、解除片連結部２５２は、解除片２６の幅方向の全体に渡って設けられ支持部となっているので、解除片２６は傾きにくくなる。さらに、解除アーム２５０の幅Ｌは、解除片２６の解除アーム２５０に対向する一辺の幅に略等しい幅Ｌ‘であるため、解除アーム２５０と解除片２６との連結が強固になり、より解除片２６が傾きにくくなる。
【００６５】
実施の形態２では、以下のような端子台について説明した。実施の形態２に係る端子台は、絶縁性のボディとカバーからなる略箱状の端子台であって、ボディの一面（以下電線挿入面と称す）には電線の導体を挿入できる電線挿入穴を複数設け、端子台内部に複数の前記電線の導体を接続する導電性のある受け部と、前記受け部と前記電線の導体を鎖錠するバネ性のある鎖錠片をもつ速結端子を装備された端子台で、前記ボディの電線挿入面は、ボディの表面に切り溝を設けることで、片持ち梁状の解除アームを設け、前記解除アームの一端は前記ボディに結合された基部に連結されるとともに、前記解除アームの基部側とは別の他端には、鎖錠片を押圧できる解除片を設けるとともに、前記解除片はボディ表面側から見て略長方形で、前記解除片と解除アームの連結部は前記解除片が前記解除アームに対向する一辺の幅にほぼ等しい幅で連結形成され、前記解除片は前記解除アームの連結形成された部位以外は切り溝で覆って形成されたことを特徴とする。
【００６６】
実施の形態３．
図１２は、蛍光ランプを点灯させる照明器具９であり、実施の形態１または２の端子台１を搭載する照明器具９を示す図である。
【００６７】
照明器具９は、照明器具本体１０と、照明器具本体に取り付けられた点灯装置１４と、照明器具９に電源を供給するとともに接地を行う端子台１と、ランプソケット１５，ランプ１３、反射板１１とを備える。端子台１には、実施の形態１で説明した解除機構２３、あるいは実施の形態２で説明した解除機構２３１が搭載されている。
【００６８】
実施の形態３に係る照明器具９によれば、端子台１の部品点数を増やすことなく、部品製造コストと組立加工コストを低コストに抑えた照明器具を提供することができる。また、端子台１において、電線を解除するときに、解除具７を傾けた状態で解除片２６を押しても、解除片２６の下方左右に配置された鎖錠片５を略均等に押圧することができるので、端子台１の電線解除操作の信頼性及び操作性を向上させた照明器具を提供することができる。
【符号の説明】
【００６９】
１  端子台、２  ボディ、３  電線、４  受け部、５  鎖錠片、６  押圧片、７  解除具、８  カバー、９  照明器具、１０  照明器具本体、１１  反射板、１３  ランプ、１４  点灯装置、１５  ランプソケット、１６  器具内部接続電線、１７  端子、２１  電線挿入面、２２Ａ，２２Ｂ，２２Ｃ，２２Ｄ，２２Ｅ，２２Ｆ  端子穴、２３  解除機構、２４  切り溝、２５  解除アーム、２６  解除片、２７  基部、２８  解除穴、２９，２９Ａ，２９Ｂ，２９Ｃ，２９Ｄ  突出部、３０  切り残し部、１１０  係止爪、２１０，２１０Ａ，２１０Ｂ，２１０Ｃ  解除片連結部、２１１  解除具当接面、２１２  凹部、２１３  傾斜面、２１４  感電防止部、２１５  解除片ストッパー、２３１  解除機構、２５０  解除アーム、２５１  アーム傾斜部、２５２  解除片連結部、２７０  基部、２６１  解除片端部、２６２  解除片先端部、２８１  解除片側の辺、２８２  アーム側の辺、２９１  先端。
【図１】
2010165568.tif 000003
【図２】
2010165568.tif 000004
【図３】
2010165568.tif 000005
【図４】
2010165568.tif 000006
【図５】
2010165568.tif 000007
【図６】
2010165568.tif 000008
【図７】
2010165568.tif 000009
【図８】
2010165568.tif 000010
【図９】
2010165568.tif 000011
【図１０】
2010165568.tif 000012
【図１１】
2010165568.tif 000013
【図１２】
2010165568.tif 000014